(57)【特許請求の範囲】
【請求項１】
バヨネット結合により組立てられた第１及び第２の部品（１、２）を含む腕時計ケースにおいて、バヨネット結合が、前記第１の部品（１）により画定される少なくとも１つの爪（５）及び前記第２の部品（２）により画定される少なくとも１つの溝（３）を含み、前記溝（３）が舌状部（９）を画定し底部（８）及び入口（６）を含み、前記入口（６）を通って、前記第１及び第２の部品（１、２）の組立ての間に前記爪（５）を規定の軸（Ａ）に対して平行に前記溝（３）の中に導入することができ、その後前記爪（５）を、前記規定の軸（Ａ）を中心とした規定の向きでの前記第１及び第２の部品（１、２）の相対的回転によって前記底部（８）に向かって導くことができ、前記舌状部（９）が、規定の点（Ｐ）まで前記底部（８）の方向に延在する傾斜した第１の部分（１４）及び前記底部（８）内で前記規定の点（Ｐ）の後に位置する第２の部分（１５）を含む内部面（１２）を含み、前記第１及び第２の部品（１、２）にはさらに、前記規定の軸（Ａ）の方向で互いに対面するそれぞれの剛性表面（１８、１７）が含まれている腕時計ケースであって、前記舌状部（９）の前記内部面（１２）の第２の部分が、前記規定の軸（Ａ）に直交し前記規定の点（Ｐ）を通る平面（Ｐ２）との関係において後退していること、及び前記第１及び第２の部品（１、２）は、組立て中にこれらの部品が、前記剛性表面（１８、１７）間の接触により前記規定の軸（Ａ）の方向に互いに当接しておりかつ前記爪（５）が前記溝（３）の中にある場合、前記規定の軸（Ａ）を中心とした規定の向きにおける前記第１及び第２の部品（１、２）の相対的回転が、前記爪（５）と前記舌状部（９）の前記内部面（１２）の前記第１の部分（１４）との間の協働による前記舌状部（９）の弾性変形をひき起こし、前記爪（５）がひとたび前記溝（３）の前記底部（８）に入った時点で前記舌状部（９）がその休止位置に戻って前記爪（５）を所定の位置にロックするような形で配置されていることを特徴とする、腕時計ケース。
【請求項２】
前記規定の点（Ｐ）と前記舌状部（９）の前記内部面（１２）の前記第２の部分（１５）との間に、前記第１の部分（１４）よりも勾配が急な傾斜部分（１６）があり、こうして、前記溝（３）の前記底部（８）から前記爪（５）を出すために加えるべきトルクを、前記溝（３）の前記底部（８）内に前記爪（５）を入れるために加えるべきトルクよりも大きくすることが可能になっていることを特徴とする、請求項１に記載の腕時計ケース。
【請求項３】
前記舌状部（９）が、弾性変形中に前記第１の部品（１）に支持されて前記舌状部（９）の弾性限界を超えないようにするように配置された１つの自由端部（１１）を含むことを特徴とする請求項１又は２に記載の腕時計ケース。
【請求項４】
前記第１及び第２の部品（１、２）の間にさらにパッキン（２０、２１）を含むことを特徴とする、請求項１〜３のいずれか一項に記載の腕時計ケース。
【請求項５】
前記パッキン（２０）が前記規定の軸（Ａ）の方向に圧縮されることを特徴とする、請求項４に記載の腕時計ケース。
【請求項６】
前記パッキン（２１）が前記規定の軸（Ａ）との関係において半径方向に圧縮されることを特徴とする、請求項４に記載の腕時計ケース。
【請求項７】
バヨネット結合が、複数の前記爪（５）及び複数のそれぞれの前記溝（３）を含むことを特徴とする、請求項１〜６の一項に記載の腕時計ケース。
【請求項８】
前記爪（５）及び前記溝（３）がそれぞれ、前記規定の軸（Ａ）を中心として規則的に分布していることを特徴とする、請求項７に記載の腕時計ケース。
【請求項９】
前記第１及び第２の部品（１、２）の一方が胴（１）を含み、前記第１及び第２の部品の他方が裏蓋（２）を含むことを特徴とする、請求項１〜８の一項に記載の腕時計ケース。
【請求項１０】
前記胴（１）を含む部品が前記第１の部品であり、前記裏蓋（２）を含む部品が前記第２の部品であることを特徴とする、請求項９に記載の腕時計ケース。
【発明の詳細な説明】
【技術分野】
【０００１】
本発明は、バヨネット結合を含む腕時計ケースに関する。
【背景技術】
【０００２】
特許文献１から、ガラス縁により画定されかつ裏蓋−胴により画定される溝の中に係合する爪を含むバヨネット結合によって裏蓋−胴に組立てられたガラス縁を有する腕時計ケースが公知である。溝は、その入口とその底部との間で傾斜しており、こうして爪がひとたび溝の中に導入された時点で、爪が溝の底部に達するまでガラス縁及び裏蓋−胴の相対的回転が、これら２つの部品を互いに軸方向に接近させるようになっている。各々先端部の備わった板バネが爪を溝の底部内にロックする。
【０００３】
このような組立ては、ガラス縁と裏蓋−胴が構成しているケースの２つの部分の精確な相対的な角度位置づけを可能にし、ネジ込みによる結合を用いる必要性を回避させてくれる。しかしながら、この組立てには、溝の中に爪をロックするためにインサート要素つまり板バネの使用が必要となる。
【先行技術文献】
【特許文献】
【０００４】
【特許文献１】スイス特許第１１８，０３８号明細書
【発明の概要】
【発明が解決しようとする課題】
【０００５】
本発明は、この欠点を改善することを目的とし、そのために、バヨネット結合により組立てられた第１及び第２の部品を含む腕時計ケースにおいて、バヨネット結合が、第１の部品により画定される少なくとも１つの爪及び第２の部品により画定される少なくとも１つの溝を含み、溝が舌状部を画定し底部及び入口を含み、この入口を通って、第１及び第２の部品の組立ての間に爪を規定の軸に対して平行に溝の中に導入することができ、その後爪を、規定の軸を中心とした規定の向きでの第１及び第２の部品の相対的回転によって底部に向かって導くことができ、舌状部が、規定の点まで底部の方向に延在する傾斜した第１の部分及び底部内で規定の点の後に位置する第２の部分を含む内部面を含み、第１及び第２の部品にはさらに、規定軸の方向で互いに対面するそれぞれの剛性表面が含まれている腕時計ケースであって、舌状部の内部面の第２の部分が、規定軸に直交し規定点を通る平面との関係において後退していること、及び第１及び第２の部品は、組立て中にこれらの部品が、剛性表面間の接触により規定軸の方向に互いに当接しておりかつ爪が溝の中にある場合、規定軸を中心とした規定の向きにおける第１及び第２の部品の相対的回転が、爪と舌状部の内部面の第１の部分との間の協働による舌状部の弾性変形をひき起こし、爪がひとたび溝の底部に入った時点で舌状部がその休止位置に戻って爪を所定の位置にロックするような形で配置されていることを特徴とする、腕時計ケースを提案する。
【０００６】
こうして、本発明において、爪のロック用弾性手段を画定するのは、溝自体の形状である。したがって、溝は、組立ての際の爪のガイド機能と同時に、組立ての終了時の前記爪のロック機能をも果たしている。本発明においては、いかなるインサートロック要素も必要でない。
【０００７】
有利には、規定点と舌状部の内部表面の第２の部分との間には、前記第１の部分よりも勾配が急な傾斜部分があり、こうして、溝の底部から爪を出すために加えるべき、トルクを、溝の前記底部内に爪を入れるために加えるべきトルクよりも大きくすることが可能になっている。
【０００８】
好ましくは、舌状部は、舌状部の弾性変形中に第１の部品に支持されて舌状部がその弾性限界を超えないようにするように配置された１つの自由端部を含む。
【０００９】
好ましくは、本発明に係る腕時計ケースは、第１及び第２の部品の間にさらにパッキンを含む。一実施形態において、パッキンは規定軸の方向に圧縮される。別の実施形態において、パッキンは規定軸との関係において半径方向に圧縮される。
【００１０】
バヨネット結合は、複数の前記爪及び複数のそれぞれの前記溝を含むことができる。この場合、爪及び溝はそれぞれ、好ましくは、規定軸を中心として規則的に分布している。
【００１１】
典型的には、第１及び第２の部品の一方は胴を含み、第１及び第２の部品の他方は裏蓋を含む。例えば、胴を含む部品は前記第１の部品であり、裏蓋を含む部品は前記第２の部品である。
【００１２】
本発明の他の特徴及び利点は、添付図面を参照して行なわれる以下の詳細な説明を読むことで明らかになるものである。
【図面の簡単な説明】
【００１３】
【図１】分解された位置における本発明の一実施形態に係る腕時計ケースの上から見た斜視図である。
【図２】図１に示された腕時計ケースの一部を成す胴−ガラス縁の下から見た斜視図である。
【図３】図１に示された腕時計ケースの一部を成す裏蓋の上から見た斜視図である。
【図４】バヨネット結合の溝を示す、図３に示した裏蓋の側面部分図である。
【図５】ケースの組立て中の図１に示した腕時計ケースの胴−ガラス縁及び裏蓋の連続する異なる相対的位置を示す。
【図６】ケースの組立て中の本発明の別の実施形態に係る腕時計ケースの胴−ガラス縁及び裏蓋の連続する異なる相対的位置を示す。
【発明を実施するための形態】
【００１４】
図１〜４を参照すると、本発明に係る腕時計ケースは、バヨネット結合により組立てられる胴−ガラス縁１及び裏蓋２を含む。バヨネット結合は、裏蓋２の環状周囲壁４の中に形成された、例示した実施例中では３個という数の溝３及び胴−ガラス縁１の壁の内側面上に突出した対応する爪（５）を含んでいる。溝３及び爪５はそれぞれ同一のものであり、腕時計ケースの軸Ａを中心として規則的に分布している。
【００１５】
より詳細に図４を参照すると、各溝３は、環状周囲壁４の上部表面７内に設けられた入口６、及び底部８を含む。各溝３は、環状周囲壁４内で、底部８のレベルに位置する接続端部１０及び入口６を部分的に限定する自由端部を有する舌状部９を画定する。舌状部９は、溝３の壁を構成しかつ入口６から底部８まで延在する内部面１２、及び内部面１２とは反対側にあり環状周囲壁４の上部表面７の一部を成す外部面１３を含む。上部表面７の残りの部分と同様に、外部面１３は、軸Ａに直交する、すなわち腕時計ケースの平面に平行な平面Ｐ１内に延在する。しかしながら外部面１３は、以下で説明する機能を有する突起１３ａを、自由端部１１のゾーン内に含んでいてよい。内部面１２は、（側面から見て）入口６から点Ｐまで延在する第１の部分１４、及び点Ｐの後に延在し底部８を部分的に限定する第２の部分１５を含む。第１の部分１４は、平面Ｐ１との関係において傾斜し、こうして舌状部９に対し、自由端部１１により近いゾーン内に比べてより大きい厚みを点Ｐのゾーン内に付与している。第２の部分１５は平面Ｐ１に対し平行に延在し、平面Ｐ１に対し平行でかつ点Ｐを通る平面Ｐ２との関係において後退している。すなわち、この部分は、この平面Ｐ２から離隔され、平面Ｐ２の第１の部分１４と同じ側に位置している。厚みに関して言うと、このことは、第２の部分１５のゾーン内の舌状部９の厚みが点Ｐのゾーン内の厚みよりも小さいことを暗示している。点Ｐと第２の部分１５との間には、第１の部分１４の傾斜の向きとは逆の向きに傾斜し、その勾配が第１の部分１４の傾斜勾配よりも急である中間部分１６がある。
【００１６】
腕時計ケースの裏蓋２は、さらに、半径方向に環状周囲壁４を超えた所に環状肩部１７を含む。この環状肩部１７は胴−ガラス縁１の環状表面１８に対面している。肩部１７及び表面１８は、各々、軸Ａに直交する平面内に延在し、実際には、接触しているか又はほぼ接触している。表面１８内に設けられた溝部１９が、胴−ガラス縁１と裏蓋２との間の気密性を確保する環状パッキン２０（図２及び５を参照のこと）を収納する。
【００１７】
図５は、胴−ガラス縁１と裏蓋２の組立て方法を示す。まず溝３の入口６と爪５とを整列させることから始め（図５（ａ））、次に、表面１８からはみ出しているパッキン２０が肩部１７に載るまで軸方向に（すなわち軸Ａの方向に）胴−ガラス縁１を裏蓋２に接近させることによって溝３の中に爪５を導入する（図５（ｂ））。その後、軸Ａを中心にして裏蓋２との関係において胴−ガラス縁１を回転させて、爪５を溝３の底部８に向かって移動させる（図５（ｃ））。舌状部９の傾斜した第１の部分１４上を摺動させることにより、爪５は、表面１８と肩部１７が接触するまでパッキン２０を圧縮して、さらに軸方向に胴−ガラス縁１を裏蓋２に接近させる（図５（ｄ））。組立てのこの段階において、爪５はまだ点Ｐに達しておらず、接触表面１７、１８が剛性であるため、もはや胴−ガラス縁１と裏蓋２をそれ以上軸方向に接近させることはできない。このとき、裏蓋２との関係における胴−ガラス縁１の回転は、舌状部９の弾性変形をひき起こし、爪５が点Ｐを通り溝３の底部８内に入ることができるようにする（図５（ｅ））。舌状部９の弾性限界を超えないように保証するためには、爪５が点Ｐに到達した時点で、舌状部９の自由端部１１のゾーン、より厳密には突起１３ａが胴−ガラス縁１の内側肩部２５に当接するような形に胴−ガラス縁１を配置することができる。このとき、底部８内への爪５の通過を可能にする舌状部９の最終的な弾性変形は、舌状部の中央部分において発生する。突起１３ａは、舌状部９と肩部２５の間に充分限定された支承ゾーンを画定することを可能にする。爪５がひとたび点Ｐを完全に通過し溝３の底部８内に入った時点で、舌状部９はその休止位置に戻り、こうして爪５を所定の位置にロックする（図５（ｆ））。舌状部９の内部表面１２の第２の部分１５の高さは、爪５が溝３の底部８内にある時に、表面１８と肩部１７が接触状態又はほぼ接触状態に維持されるように選択される。こうして、胴−ガラス縁１及び裏蓋２は、その組立てられた状態において、互いの間にいかなるすき間も残さず、パッキン２０は外から見えず、このことは、ケースの美観に貢献する。その上、表面１８と肩部１７との間の接触は、パッキン２０が、ケースの優れた気密性にとって充分なものと判断される規定の圧縮状態にあることを保証する。
【００１８】
胴−ガラス縁１と裏蓋２とのこのような組立ては可逆的である。実際、これら２つの部品１、２は、裏蓋２との関係において胴−ガラス縁１を、組立てを可能にした向きとは逆向きに回転させることによって分解可能である。しかしながら、第１の部分１４よりも勾配が急な舌状部９の内部表面１２の傾斜した中間部分１６のため、溝３の底部８から爪５を出すために加えるべき力は、前記底部８内に爪５を入れるために必要な力よりも大きい。こうして、高い信頼性の組立てが得られる。同様に、パッキン２０が及ぼす摩擦が爪５をそのロック位置に維持するのに寄与することも指摘される。
【００１９】
本発明に係る組立ては、溝３の底部８内にひとたびロックされた場合、爪５が胴−ガラス縁１と裏蓋２についての極めて限定的な相対的角度位置を画定するという意味において、非常に精確である。こうして、裏蓋２が１つの装飾を有する場合、裏蓋を胴−ガラス縁１及び特にそのラグとの関係において適正に位置づけされるように保証することができる。
【００２０】
図１〜５に示された実施例において、パッキン２０は、軸方向（軸Ａに対し平行）に圧縮するように配置されている。一変形形態においては、パッキンを、半径方向に圧縮するように配置することができる。図６は、裏蓋の外部側方表面内に設けられた溝部２２の中に収納された２１という番号で呼称されるパッキン、及び組立ての際に裏蓋の肩部２４に対して当接するまでパッキン２１を圧縮する胴−ガラス縁の壁２３を伴う、このような１つの変形形態を示す。
【００２１】
当然のことながら上述の組立て原理は、腕時計ケースの他の部品を組立てるため、例えばガラス縁を胴に固定するために利用可能であると考えられる。
【図１】
0006459009.tif 000002
【図２】
0006459009.tif 000003
【図３】
0006459009.tif 000004
【図４】
0006459009.tif 000005
【図５（ａ）】
0006459009.tif 000006
【図５（ｂ）】
0006459009.tif 000007
【図５（ｃ）】
0006459009.tif 000008
【図５（ｄ）】
0006459009.tif 000009
【図５（ｅ）】
0006459009.tif 000010
【図５（ｆ）】
0006459009.tif 000011
【図６】
0006459009.tif 000012